(57)【要約】【課題】目標設定者が設定した目標に対して、サポータからの支持や応援を受けることができる目標管理方法、サーバ及びプログラムを提供する。【解決手段】目標管理サーバは、目標設定者の識別子に対応付けて、目標値及び１つ以上の電子メールアドレスを登録テーブルに登録する。目標設定者によって操作される端末が、入力された現在値を含む経過メッセージを、目標管理サーバへ送信する。目標管理サーバは、目標値に対する現在値の関係に応じた支援依頼メッセージを生成し、その支援依頼メッセージを含む電子メールを、登録テーブルに登録された電子メールアドレスへ送信する。目標値及び電子メールアドレスは、目標設定者によって操作される端末から受信した登録メッセージによって登録され、目標値及び現在値は、健康管理に関する数値であり、電子メールアドレスは、目標達成を確認すべきサポータの端末アドレスである。【選択図】図２
2010009526.tif 000002
【特許請求の範囲】
【請求項１】
複数の端末と、該端末からネットワークを介して接続される目標管理サーバとを有するシステムにおける目標管理方法であって、
前記目標管理サーバによって、目標設定者の識別子に対応付けて、目標となる目標値及び１つ以上の電子メールアドレスを登録する第１のステップと、
前記目標設定者によって操作される端末が、前記目標値に対して入力された現在値を含む経過メッセージを、前記目標管理サーバへ送信する第２のステップと、
前記目標管理サーバが、前記目標値に対する現在値を時間経過に応じた履歴として記録し、前記目標値に対する前記現在値の履歴に応じた支援依頼メッセージを生成する第３のステップと、
前記目標管理サーバが、前記支援依頼メッセージを含む電子メールを、登録された前記電子メールアドレスへ送信する第４のステップと
を有することを特徴とする目標管理方法。
【請求項２】
第１のステップについて、前記目標値及び前記電子メールアドレスは、前記目標設定者によって操作される端末から受信した登録メッセージによって、登録されることを特徴とする請求項１に記載の目標管理方法。
【請求項３】
前記経過メッセージは、入力された前記実行項目の実行度を更に含み、
第３のステップについて、前記目標値に対する現在値に加えて、前記実行項目の実行度を時間経過に応じた履歴として記録し、前記目標値に対する前記現在値の履歴と、前記実行項目の実行度の履歴とに基づく前記支援依頼メッセージを生成することを特徴とする請求項１又は２に記載の目標管理方法。
【請求項４】
第３のステップは、前記支援依頼メッセージの生成結果を、時間経過に応じた履歴として記録し、前記目標値に対する現在値の履歴及び実行度の履歴に加え、過去の支援依頼メッセージの生成履歴とに基づいて支援依頼メッセージの内容を更新するように生成することを特徴とする請求項３に記載の目標管理方法。
【請求項５】
前記目標値及び現在値は、健康管理に関する数値であり、
前記電子メールアドレスは、目標設定者の目標達成を確認すべき支持者（サポータ）の端末のアドレスであることを特徴とする請求項１から４のいずれか１項に記載の目標管理方法。
【請求項６】
複数の端末にネットワークを介して接続される目標管理サーバであって、
目標設定者の識別子に対応付けて、目標となる目標値及び１つ以上の電子メールアドレスを登録する登録テーブルと、
前記目標設定者によって操作される端末から、前記目標値に対して入力された現在値を含む経過メッセージを受信する経過メッセージ受信手段と、
前記目標値に対する現在値を時間経過に応じた履歴として記録する目標履歴テーブルと、
前記目標値に対する前記現在値の履歴に応じた支援依頼メッセージを生成する支援依頼メッセージ生成手段と、
前記支援依頼メッセージを含む電子メールを、前記登録テーブルに登録された前記電子メールアドレスへ送信する支援依頼メッセージ送信手段と
を有することを特徴とする目標管理サーバ。
【請求項７】
前記登録テーブルに登録される前記目標値及び前記電子メールアドレスを含む登録メッセージを受信する登録メッセージ受信手段を更に有することを特徴とする請求項６に記載の目標管理サーバ。
【請求項８】
前記経過メッセージは、入力された前記実行項目の実行度を更に含み、
前記目標履歴テーブルには、目標値に対する現在値に加えて、前記実行項目の実行度を時間経過に応じた履歴として記録し、
前記支援依頼メッセージ生成手段は、前記目標値に対する前記現在値の履歴と、前記実行項目の実行度の履歴とに基づく前記支援依頼メッセージを生成することを特徴とする請求項６又は７に記載の目標管理サーバ。
【請求項９】
前記支援依頼メッセージの生成結果を、時間経過に応じた履歴として記録する支援依頼履歴テーブルを更に有し、
前記支援依頼メッセージ生成手段は、前記目標値に対する現在値の履歴及び実行度の履歴に加えて、過去の支援依頼メッセージの生成履歴に基づいて支援依頼メッセージの内容を更新するように生成することを特徴とする請求項８に記載の目標管理サーバ。
【請求項１０】
前記目標値及び現在値は、健康管理に関する数値であり、
前記電子メールアドレスは、目標設定者の目標達成を確認すべき支持者（サポータ）の端末のアドレスであることを特徴とする請求項６から９のいずれか１項に記載の目標管理サーバ。
【請求項１１】
複数の端末にネットワークを介して接続されるサーバに搭載されたコンピュータを機能させる目標管理プログラムであって、
目標設定者の識別子に対応付けて、目標となる目標値及び１つ以上の電子メールアドレスを登録する登録手段と、
前記目標設定者によって操作される端末から、前記目標値に対して入力された現在値を含む経過メッセージを受信する経過メッセージ受信手段と、
前記目標値に対する現在値を時間経過に応じた履歴として記録する目標履歴手段と、
前記目標値に対する前記現在値の履歴に応じた支援依頼メッセージを生成する支援依頼メッセージ生成手段と、
前記支援依頼メッセージを含む電子メールを、前記登録テーブルに登録された前記電子メールアドレスへ送信する支援依頼メッセージ送信手段と
してコンピュータを機能させることを特徴とする目標管理プログラム。
【発明の詳細な説明】
【技術分野】
【０００１】
本発明は、目標設定者のための目標管理方法、サーバ及びプログラムに関する。
【背景技術】
【０００２】
人は、健康管理を１つの目標とする場合があり、例えば体重又は体脂肪を計測器で測定して自己管理している。近年、これら計測器で測定した計測値を、サーバで管理する健康管理システムも普及してきている。このシステムでは、計測器で測定された計測値を、インターネットや携帯電話網を介して、サーバへ送信する。サーバは、各人の健康管理に基づく計測値をログとして記録管理する。健康管理に基づく計測値が蓄積されることによって、様々な視点からの情報を得ることができる。
【０００３】
例えば、体重の計測値を、ＳＮＳ(Social Networking Service)やブログに記録することができるユーザ参加型のシステムもある。単に体重の計測値を管理するだけでなく、ユーザ同士の間で、仲間意識や競争意識を持たせることができる新しいコミュニティサイトも構築されてきている。また、自らの体重に対して、不特定参加者から励ましを受けられるようなシステムもある（例えば非特許文献１又は２参照）。勿論、体重管理に限らず、様々なＴｏＤＯやスケジュール管理のためのＷｅｂサイトもある（例えば非特許文献３参照）。
【０００４】
【非特許文献１】「ダイエット日記」、[online]、［平成２０年６月１５日検索］、インターネット＜ＵＲＬ：http://dietnikki.com/＞
【非特許文献２】「シーサーダイエットブログ」、[online]、［平成２０年６月１５日検索］、インターネット＜ＵＲＬ：http://blog.seesaa.jp/＞
【非特許文献３】「チェックパッド」、[online]、［平成２０年６月１５日検索］、インターネット＜ＵＲＬ：http://www.checkpad.jp/＞
【発明の開示】
【発明が解決しようとする課題】
【０００５】
しかしながら、前述した従来技術はいずれも、あくまで個人で体重等の計測値を管理しているだけであって、必ずしも不特定参加者からの励ましやコメントを期待できるものではなかった。
【０００６】
そこで、本発明は、目標設定者が設定した目標に対して、サポータ（支持者）からの支持や応援を受けることができる目標管理方法、サーバ及びプログラムを提供することを目的とする。
【課題を解決するための手段】
【０００７】
本発明によれば、複数の端末と、該端末からネットワークを介して接続される目標管理サーバとを有するシステムにおける目標管理方法であって、
目標管理サーバによって、目標設定者の識別子に対応付けて、目標となる目標値及び１つ以上の電子メールアドレスを登録する第１のステップと、
目標設定者によって操作される端末が、目標値に対して入力された現在値を含む経過メッセージを、目標管理サーバへ送信する第２のステップと、
目標管理サーバが、目標値に対する現在値を時間経過に応じた履歴として記録し、目標値に対する現在値の履歴に応じた支援依頼メッセージを生成する第３のステップと、
目標管理サーバが、支援依頼メッセージを含む電子メールを、登録された電子メールアドレスへ送信する第４のステップと
を有することを特徴とする。
【０００８】
本発明の目標管理方法における他の実施形態によれば、第１のステップについて、目標値及び電子メールアドレスは、目標設定者によって操作される端末から受信した登録メッセージによって、登録されることも好ましい。
【０００９】
本発明の目標管理方法における他の実施形態によれば、
経過メッセージは、入力された実行項目の実行度を更に含み、
第３のステップについて、目標値に対する現在値に加えて、実行項目の実行度を時間経過に応じた履歴として記録し、目標値に対する現在値の履歴と、実行項目の実行度の履歴とに基づく支援依頼メッセージを生成することも好ましい。
【００１０】
本発明の目標管理方法における他の実施形態によれば、第３のステップは、支援依頼メッセージの生成結果を、時間経過に応じた履歴として記録し、目標値に対する現在値の履歴及び実行度の履歴に加え、過去の支援依頼メッセージの生成履歴とに基づいて支援依頼メッセージの内容を更新するように生成することも好ましい。
【００１１】
本発明の目標管理方法における他の実施形態によれば、
目標値及び現在値は、健康管理に関する数値であり、
電子メールアドレスは、目標設定者の目標達成を確認すべき支持者（サポータ）の端末のアドレスであることも好ましい。
【００１２】
本発明によれば、複数の端末にネットワークを介して接続される目標管理サーバであって、
目標設定者の識別子に対応付けて、目標となる目標値及び１つ以上の電子メールアドレスを登録する登録テーブルと、
目標設定者によって操作される端末から、目標値に対して入力された現在値を含む経過メッセージを受信する経過メッセージ受信手段と、
目標値に対する現在値を時間経過に応じた履歴として記録する目標履歴テーブルと、
目標値に対する現在値の履歴に応じた支援依頼メッセージを生成する支援依頼メッセージ生成手段と、
支援依頼メッセージを含む電子メールを、登録テーブルに登録された電子メールアドレスへ送信する支援依頼メッセージ送信手段と
を有することを特徴とする。
【００１３】
本発明の目標管理サーバにおける他の実施形態によれば、登録テーブルに登録される目標値及び電子メールアドレスを含む登録メッセージを受信する登録メッセージ受信手段を更に有することも好ましい。
【００１４】
本発明の目標管理サーバにおける他の実施形態によれば、
経過メッセージは、入力された実行項目の実行度を更に含み、
目標履歴テーブルには、目標値に対する現在値に加えて、実行項目の実行度を時間経過に応じた履歴として記録し、
支援依頼メッセージ生成手段は、目標値に対する現在値の履歴と、実行項目の実行度の履歴とに基づく支援依頼メッセージを生成することも好ましい。
【００１５】
本発明の目標管理サーバにおける他の実施形態によれば、
支援依頼メッセージの生成結果を、時間経過に応じた履歴として記録する支援依頼履歴テーブルを更に有し、
支援依頼メッセージ生成手段は、目標値に対する現在値の履歴及び実行度の履歴に加えて、過去の支援依頼メッセージの生成履歴に基づいて支援依頼メッセージの内容を更新するように生成することも好ましい。
【００１６】
本発明の目標管理サーバにおける他の実施形態によれば、
目標値及び現在値は、健康管理に関する数値であり、
電子メールアドレスは、目標設定者の目標達成を確認すべき支持者（サポータ）の端末のアドレスであることも好ましい。
【００１７】
本発明によれば、複数の端末にネットワークを介して接続されるサーバに搭載されたコンピュータを機能させる目標管理プログラムであって、
目標設定者の識別子に対応付けて、目標となる目標値及び１つ以上の電子メールアドレスを登録する登録手段と、
目標設定者によって操作される端末から、目標値に対して入力された現在値を含む経過メッセージを受信する経過メッセージ受信手段と、
目標値に対する現在値を時間経過に応じた履歴として記録する目標履歴手段と、
目標値に対する現在値の履歴に応じた支援依頼メッセージを生成する支援依頼メッセージ生成手段と、
支援依頼メッセージを含む電子メールを、登録テーブルに登録された電子メールアドレスへ送信する支援依頼メッセージ送信手段と
してコンピュータを機能させることを特徴とする。
【発明の効果】
【００１８】
本発明の目標管理方法、サーバ及びプログラムによれば、目標設定者が設定した目標値に対して、目標値と現在値との関係や目標を達成するための実行項目の実行度に応じた支援依頼メッセージが電子メールでサポータに送信されるので、目標設定者は、サポータからの支持や応援を受け、目標達成への動機付けができる。特に、目標設定者のサポータとなった近親者等へ、自らの目標及びその経過を確実に知らせることによって、サポータからの支持や応援が期待できる。これにより、目標達成への意識が高められ、結果的に目標達成率が高まることを期待できる。
【発明を実施するための最良の形態】
【００１９】
以下では、図面を用いて、本発明を実施するための最良の形態について詳細に説明する。
【００２０】
図１は、システム構成図である。
【００２１】
図１のシステムによれば、目標管理サーバ１は、複数の端末２から、ネットワークを介して接続される。目標管理サーバ１は、インターネットに接続されており、ＷｅｂサイトのＷＷＷサーバ機能と、電子メール送受信機能とを有する。端末２が携帯電話機である場合、携帯電話機２は、携帯電話網に接続し、その携帯電話網と相互接続されたインターネットを介して目標管理サーバ１にアクセスする。勿論、端末２は、パーソナルコンピュータであってもよい。
【００２２】
複数の端末２は、目標設定者が操作する端末と、その目標設定者を支持するサポータが操作する端末とに分けられる。目標設定者によって操作される端末から、目標設定及び経過通知が送信されると共に、サポータによって操作される端末へ、支援依頼メッセージが送信される。
【００２３】
目標管理サーバ１は、登録テーブルを備えており、「目標設定者の識別子」に対応付けて、「目標値」と、所定期間毎の「実行項目」と、１つ以上の「サポータ電子メールアドレス」とを有する。また、その他の付属情報として、例えば「目標設定者電子メールアドレス」「ユーザ名」「目標名」「達成予定日」「目標設定日」などを登録してもよい。目標設定者の識別子は、例えば、携帯電話機の固有識別子（例えばＳＩＭ番号又は製造番号）、「目標設定者電子メールアドレス」、その他任意のコードであってもよい。
【００２４】
【表１】
2010009526.tif 000003
【００２５】
「目標値」は、目標設定者によって設定された数値である。例えば健康管理に関する数値であってもよいし、売り上げ目標の数値であってもよい。「実行項目」は、所定期間毎に、その目標設定者が実行すべき項目である。「サポータ電子メールアドレス」は、目標設定者の目標達成を確認すべきサポータ（支持者）の端末のアドレスである。例えば、目標値が体重であれば、そのサポータは近親者又は友人となるであろうし、目標値が売り上げ数値であれば、そのサポータは上司又は同僚となるであろう。「サポータ電子メールアドレス」として、目標設定者自身の電子メールアドレスを登録することも勿論可能であるが、その場合、自分自身の目標に対する行動が、どのような状況にあるかを自身で客観的に捉えることもできる。
【００２６】
尚、インターネットには、複数のメールサーバが接続されており、目標管理サーバ１と端末２との間は、複数のメールサーバを介して電子メールを送受信することができる。メールサーバは、通常、ＳＭＴＰ(Simple Mail Transfer Protocol)サーバと、ＰＯＰ(Post Office Protocol)サーバとの２つの機能を有する。ＳＭＴＰサーバは、クライアントから受信した電子メールを送信・転送するために用いられる送信サーバであり、送信先となるクライアントのＳＭＴＰサーバを探し出して転送する。ＰＯＰサーバは、クライアントが電子メールを受信する際に接続する受信サーバであり、電子メールアドレス毎のメールボックスに受信メールを蓄積している。クライアントは、メールを受信する際に、メーラを用いてＰＯＰサーバに接続し、そのメールボックスからダウンロードする。
【００２７】
図２は、本発明におけるシーケンス図である。図３は、目標設定者によって操作される端末におけるディスプレイの表示画面である。図４は、サポータによって操作される端末におけるディスプレイの表示画面である。
【００２８】
（Ｓ２０１）目標設定者によって操作される端末２は、目標設定における登録メッセージを目標管理サーバ１へ送信する。登録メッセージには、登録テーブルに登録すべき目標値と、目標設定者電子メールアドレスと、サポータ電子メールアドレスと、その他付属情報（例えば「ユーザ名」「目標名」「達成予定日」「目標設定日」など）とが含まれる。目標管理サーバ１は、登録メッセージを受信すると、目標設定者の識別子に対応付けて、目標値及び電子メールアドレスを登録テーブルに登録する。勿論、目標管理サーバ１が、端末２の電子メールアドレスを、登録テーブルに予め記憶しているものであってもよい。また、端末２は、登録メッセージを目標管理サーバ１へ送信するために、電子メールを用いたものであってもよいし、目標管理サーバ１へのアクセスによって得られるＷｅｂページの入力フォームを用いたものであってもよい。
【００２９】
例えば、目標設定者は、３ヶ月後の目標値（体重）と実行項目（毎日１万歩歩くこと）を登録している。同時に、目標設定者電子メールアドレス、サポータ電子メールアドレス、及び、その他付属情報である「ユーザ名」「目標名」「達成予定日」「目標設定日」も登録している。目標設定者は、設定した目標に対して、サポータからの支持や応援を期待している。
【００３０】
（Ｓ２０２）目標管理サーバ１は、目標設定者における目標をサポータへ通知するための支援依頼メッセージを作成する。支援依頼メッセージは、例えば、図４のＳ２０３に表されたようなものである。支援依頼メッセージは、テンプレートによって作成される。
【００３１】
ここで、目標管理サーバ１は、以下の表２に表すような支援依頼履歴テーブルを更に備える。支援依頼履歴テーブルは、支援依頼メッセージの生成結果を、時間経過に応じた履歴として記録する。以下の表２のように、目標設定者の識別子に対応付けて、タイムスタンプと共に、支援依頼メッセージを作成した元となるテンプレート情報を蓄積する。
【表２】
2010009526.tif 000004
【００３２】
（Ｓ２０３）目標管理サーバ１は、Ｓ２０２によって生成された支援依頼メッセージを含む電子メールを、サポータの電子メールアドレスへ同報的に送信する。
【００３３】
（Ｓ２０４）その後、目標設定者によって操作される端末２が、入力された現在値及び実行度を含む経過メッセージを、目標管理サーバ１へ送信する。即ち、目標設定者は、所定期間（例えば毎日）毎に、実行項目を実行する。例えば、目標設定者によって操作される端末に、図３のような画面が表示される。目標設定者は、端末２を用いて、目標管理サーバのＷｅｂサイトへアクセスし、現在値（現在の体重）と実行度とに入力する。勿論、これら情報を、電子メールで送信するものであってもよい。
【００３４】
「現在値」は、目標値に対する現在の数値である。「実行度」は、目標達成のために設定した実行項目を実行した度合を割合値で表すこともでき、達成したか否かを表す場合はフラグで表すこともできる。
【００３５】
目標管理サーバ１は、目標履歴テーブルを更に備えており、目標値に対する現在値に加えて、実行項目の実行度を時間経過に応じた履歴として記録する。以下の表３のように、目標設定者の識別子に対応付けて、タイムスタンプと共に、現在値及び実行度を、履歴として蓄積する。
【表３】
2010009526.tif 000005
【００３６】
（Ｓ２０５）目標管理サーバが、目標値に対する現在値の関係に応じた支援依頼メッセージを生成する。このとき、支援依頼メッセージは、目標値に対する現在値の履歴と、実行項目の実行度の履歴とに基づいて生成されることも好ましい。また、目標値に対する現在値の履歴及び実行度の履歴に加えて、過去の支援依頼メッセージの生成履歴に基づいて支援依頼メッセージの内容を更新するように生成することも好ましい。
【００３７】
（Ｓ２０６）目標管理サーバが、支援依頼メッセージを含む電子メールを、登録テーブルに登録されたサポータ電子メールアドレスへ送信する。例えば、図４のＳ２０６のメッセージが、サポータの操作する端末２に表示される。
【００３８】
（Ｓ２０７）これに対し、サポータは、目標設定者電子メールアドレス部分をクリックすることによって、目標設定者に対して、直ぐにコメントを電子メールで送信することができる。
【００３９】
（Ｓ２０８）その後、目標設定者によって操作される端末２が、入力された現在値及び実行度を含む経過メッセージを、目標管理サーバ１へ送信する。目標管理サーバ１は、現在値及び実行度を、履歴として蓄積する。
【００４０】
（Ｓ２０９）目標管理サーバ１が、目標値に対する現在値の関係に応じた支援依頼メッセージを生成する。このとき、その支援依頼メッセージは、「現在値」の履歴及び実行項目の「実行度」の履歴に基づく。また、支援依頼メッセージの履歴に基づくことも好ましい。
【００４１】
（Ｓ２１０）目標管理サーバ１が、支援依頼メッセージを含む電子メールを、登録テーブルに登録された電子メールアドレスへ送信する。例えば、図４のＳ２１０のメッセージが、サポータの操作する端末２に表示される。
【００４２】
（Ｓ２１１）これに対し、サポータは、既存の電子メールクライアントに具備している機能を用いて、目標設定者電子メールアドレス部分をクリックすることによって、目標設定者に対して、直ぐにコメントを電子メールで送信することができる。
【００４３】
図５は、本発明における目標管理サーバの機能構成図である。
【００４４】
図５によれば、目標管理サーバ１は、例えばインターネットに接続される通信インタフェース部１００と、登録メッセージ受信部１０１と、登録テーブル１１１と、支援依頼履歴テーブル１１２と、目標履歴テーブル１１３と、経過メッセージ受信部１０２と、支援依頼メッセージ生成部１０３と、支援依頼メッセージ送信部１０４とを有する。これら機能構成部は、ＷＷＷ機能又はメール送受信機能を有するサーバに搭載されたコンピュータを機能させるプログラムを実行することによって実現される。
【００４５】
通信インタフェース部１００は、Ｗｅｂインタフェース機能と、電子メールインタフェース機能とを有する。
【００４６】
登録メッセージ受信部１０１は、登録テーブル１１１に登録される目標値及び電子メールアドレスと、その他付属情報などを含む登録メッセージを、端末２から受信する。受信された目標値及び電子メールアドレスと、その他付属情報などは、目標設定者の識別子に対応付けて、登録テーブル１１１へ出力される。目標設定者の識別子は、例えば携帯電話機の固有識別子であってもよい。
【００４７】
登録テーブル１１１は、目標設定者の識別子に対応付けて、目標値及び１つ以上の電子メールアドレスを登録する。また、所定期間毎の実行項目を登録することも好ましい。
【００４８】
支援依頼履歴テーブル１１２は、目標設定者の識別子に対応付けて、タイムスタンプと共に、支援依頼メッセージを作成した元となるテンプレートの情報を、履歴として蓄積する。前述した表２のようなテーブルである。
【００４９】
目標履歴テーブル１１３は、目標設定者の識別子に対応付けて、タイムスタンプと共に、現在値及び実行度を、履歴として蓄積する。前述した表３のようなテーブルである。
【００５０】
経過メッセージ受信部１０２は、目標設定者によって操作される端末２から、入力された現在値及び実行度を含む経過メッセージを受信する。受信された現在値及び実行度は、目標設定者の識別子に対応付けてタイムスタンプと共に、目標履歴テーブル１１３へ出力される。
【００５１】
支援依頼メッセージ生成部１０３は、目標値に対する現在値の関係に応じた支援依頼メッセージを生成する。支援依頼メッセージは、目標値に対する現在値の履歴と、実行項目の実行度の履歴とに基づくものであってもよい。また、目標値に対する現在値の履歴及び実行度の履歴に加えて、過去の支援依頼メッセージの生成履歴に基づいて支援依頼メッセージの内容を更新されるものであってもよい。生成された支援依頼メッセージは、支援依頼メッセージ送信部１０４へ出力される。また、目標設定者の識別子に対応付けて、支援依頼メッセージを作成した元となるテンプレート情報とタイムスタンプと共に、支援依頼履歴テーブル１１２へ出力される。
【００５２】
支援依頼メッセージ送信部１０４は、支援依頼メッセージを含む電子メールを、登録テーブルに登録された電子メールアドレスへ送信する。
【００５３】
図６は、支援依頼メッセージ生成部１０３によってコメントを生成されるフローチャートである。
【００５４】
目標管理サーバ１の支援依頼メッセージ生成部１０３の処理は、一定周期で、例えばｕｎｉｘのｃｒｏｎ等のバッチ処理で起動される。
【００５５】
（Ｓ６０１）最初に、登録テーブル１１１に登録されている目標設定者の識別子毎に、支援依頼メッセージの最終タイムスタンプを、支援依頼履歴テーブル１１２のタイムスタンプから検索する。そして、その日時からＮ日以上経過している、目標設定者の識別子のみを検索する。検索された目標設定者の識別子毎に、Ｓ６０７までの処理を繰り返す。
【００５６】
（Ｓ６０２）目標履歴テーブル１１３から最終タイムスタンプ以降の目標値に対する現在値の履歴の変化の傾向を計算する。ここで、目標値に対し「達成」「接近」「変化無し」又は「乖離」に大きく区分される。
【００５７】
（Ｓ６０３）目標履歴テーブル１１３から最終送信日以降の実行項目に対する実行度の履歴から「実行達成率」を計算する。ここで、「優秀」「程々」又は「サボリ」に大きく区分される。
【００５８】
（Ｓ６０４）目標値の「達成」又は目標値に対する「接近」「変化無し」又は「乖離」と、実行達成率「優秀」「程々」又は「サボリ」との区分から、支援依頼メッセージのテンプレートが選択される。
（１）目標値を「達成」し且つ実行達成率「優秀」「程々」である場合、「賞賛１」（目標達成した旨と、その努力を褒め称えるべき支援依頼メッセージ）が選択される。
（２）目標値に対し「接近」であり且つ実行達成率「優秀」である場合、「賞賛２」（その努力を褒め称えるべき支援依頼メッセージ）が選択される。
（３）目標値に対し「変化無し」であり且つ実行達成率「優秀」である場合、「賞賛３」（その努力を称え、挫けないように応援すべき支援依頼メッセージ）が選択される。
（４）目標値に対し「乖離」であり且つ実行達成率「優秀」である場合、「賞賛４」（その努力を称え、挫けないように応援すべき支援依頼メッセージ）が選択される。
（５）目標値に対し「変化無し」であり且つ実行達成率「サボリ」である場合、「支援１」（怠惰を見直すべき支援依頼メッセージ）が選択される。
（６）目標値に対し「乖離」であり且つ実行達成率「程々」である場合、「支援２」（実行するように相談すべき支援依頼メッセージ）が選択される。
（７）目標値に対し「変化無し」であり且つ実行達成率「程々」である場合、「支援３」（実行するように努力すべき支援依頼メッセージ）が選択される。
【００５９】
また、登録テーブル１１１から得られる目標の内容によっては、目標値に対する現在値の関係のみに基づきこれらの組み合わせを構成することも好ましい。更に、登録テーブル１１１から得られる目標の内容によっては、これらの組み合わせの結果に対し、支援依頼メッセージを送信するか否か又は支援依頼メッセージのテンプレートを変更することも好ましい。
【００６０】
テンプレートが選択されたら、支援依頼履歴テーブル１１２より過去の支援依頼メッセージの履歴を検出し、その履歴によってメッセージ内容を更新（エスカレート）させることも好ましい。
【００６１】
（Ｓ６０５）生成された支援依頼メッセージを、サポータへ送信するべく、支援依頼メッセージ送信部１０３へ出力する。
【００６２】
（Ｓ６０６）支援依頼履歴テーブル１１２に対して、支援依頼メッセージの履歴を蓄積する。
【００６３】
（Ｓ６０７）次の目標設定者の識別子に対する処理するべく、Ｓ６０１へ戻る。
【００６４】
以上、詳細に説明したように、本発明の目標管理方法、サーバ及びプログラムによれば、目標設定者が設定した目標値に対して、目標値と現在値との関係に応じた支援依頼メッセージが電子メールでサポータに送信されるので、目標設定者は、サポータからの支持や応援を受け、目標達成への動機付けができる。
【００６５】
本発明によれば、目標設定者が、目標達成前にリタイアしそうになると、サポータから激励・叱咤が受けられるような支援依頼メッセージの電子メールが、サポータへ送信される。即ち、システムからサポータへ、目標設定者の目標達成に対する応援を促すように連絡する。目標設定者としては、サポータとなった近親者等からの励ましを得ることができる。
【００６６】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６７】
【図１】システム構成図である。
【図２】本発明におけるシーケンス図である。
【図３】目標設定者によって操作される端末におけるディスプレイの表示画面である。
【図４】サポータによって操作される端末におけるディスプレイの表示画面である。
【図５】本発明における目標管理サーバの機能構成図である。
【図６】支援依頼メッセージ生成部によってコメントを生成されるフローチャートである。
【符号の説明】
【００６８】
１  目標管理サーバ
１００  通信インタフェース部
１０１  登録メッセージ受信部
１０２  経過メッセージ受信部
１０３  支援依頼メッセージ生成部
１０４  支援依頼メッセージ送信部
１１１  登録テーブル
１１２  支援依頼履歴テーブル
１１３  目標履歴テーブル
２  端末、携帯電話機、パーソナルコンピュータ
【図１】
2010009526.tif 000006
【図２】
2010009526.tif 000007
【図３】
2010009526.tif 000008
【図４】
2010009526.tif 000009
【図５】
2010009526.tif 000010
【図６】
2010009526.tif 000011